(57)【要約】【課題】信頼性が高く、低コストでバッテリをバックアップすることができる電源バックアップシステムの提供。【解決手段】ＡＣＰＩシステム１００が、メモリモジュール１３０（メモリ）と、メモリに電力が供給されていることを示す電源確定信号および節電モードへの移行を指示する５Ｖのスタンバイ信号を出力する主電源１１０と、節電モードへの移行の指示がなされたことを示すＳ３制御信号を出力するＡＣＰＩコントローラ１５０と、主電源１１０からメモリに供給される電力を節電モード時の低消費電力に切り替えるＤＵＡＬ回路１８０と、メモリに向けて電力を供給可能な補助電源１７０と、主電源１１０からの電源確定信号およびＡＣＰＩコントローラ１５０からのＳ３制御信号の出力状況を監視して補助電源１７０からの電力供給を制御可能なバッテリ制御部１６０とを有する。【選択図】図１
2008129969.tif 000002
【特許請求の範囲】
【請求項１】
作業内容を記憶するメモリと、
前記メモリに電力が供給されていることを示す電力供給信号および通常モードから節電モードへの移行を指示する節電モード信号を出力する主電源と、
前記節電モード信号を受けて前記節電モードへの移行の指示がなされたことを示す節電制御信号を出力する節電モード制御手段と、
前記節電制御信号を受けて前記主電源から前記メモリに供給される電力を前記通常モード時の高消費電力から前記節電モード時の低消費電力に切り替える電力切替手段と、
前記メモリに向けて電力を供給可能な補助電源と、
前記主電源からの電力供給信号および前記節電モード制御手段からの節電制御信号の出力状況を監視して前記補助電源からの電力供給を制御可能な電源制御手段とを有し、
前記節電モードに移行している状態で前記主電源から前記電源制御手段に向けた電力供給信号が遮断された場合に、前記電源制御手段により前記補助電源から前記メモリに電力が供給される制御がなされることを特徴とする電源バックアップシステム。
【請求項２】
前記補助電源から前記メモリに電力が供給されている状態で前記主電源から前記電源制御手段に向けた電力供給信号が復帰した場合に、
前記節電モード制御手段が前記電力切替手段および前記電源制御手段への節電制御信号の出力を停止することにより前記電力切替手段が前記主電源から前記メモリに供給される電力を前記通常モード時の高消費電力に切り替えた上で、前記電源制御手段が前記補助電源から前記メモリに向けた電力の供給を停止させることを特徴とする請求項１に記載の電源バックアップシステム。
【請求項３】
作業内容を記憶するメモリと、
前記メモリに電力が供給されていることを示す電力供給信号および通常モードから節電モードへの移行を指示する節電モード信号を出力する主電源と、
前記節電モード信号を受けて前記節電モードへの移行の指示がなされたことを示す節電制御信号を出力する節電モード制御手段と、
前記節電制御信号を受けて前記主電源から前記メモリに供給される電力を前記通常モード時の高消費電力から前記節電モード時の低消費電力に切り替える電力切替手段と、
前記メモリに向けて電力を供給可能な補助電源と、
前記主電源からの電力供給信号および前記節電モード制御手段からの節電制御信号の出力状況を監視して前記補助電源からの電力供給を制御可能な電源制御手段と、
前記節電モード制御手段に向けて割込信号を送信する割込信号送信手段を有し、
前記通常モードの状態で前記主電源から前記電源制御手段に向けた電力供給信号が遮断された場合に、前記電源制御手段が前記補助電源から前記メモリに電力が供給されるように制御した後に、前記電源制御手段から電力供給の遮断の通知を受けた前記割込信号送信手段が割込信号を前記節電モード制御手段に送信することにより、前記節電モード制御手段が節電制御信号を前記電力切替手段に出力して前記電力切替手段が前記通常モードから前記節電モードに切り替えることを特徴とする電源バックアップシステム。
【請求項４】
前記主電源から前記電源制御手段に向けた電力供給信号が復帰した場合に、前記電力切替手段により前記節電モードから前記通常モードに切り替られることを特徴とする請求項３に記載の電源バックアップシステム。
【請求項５】
請求項１から４のいずれかに記載の前記電源バックアップシステムを具備することを特徴とする電子機器。
【請求項６】
請求項５に記載の電子機器であって、当該機器がディスクアレイ装置であることを特徴とする電子機器。
【発明の詳細な説明】
【技術分野】
【０００１】
本発明は、主電源からの電力の供給が遮断された場合であっても補助電源からメモリに向けて電力が供給されるように構成された電源バックアップシステム及びこれを具えた電子機器に関する。
【背景技術】
【０００２】
コンピュータ装置やその周辺機器等の電子機器における省電力に関する電源管理の規格として、ＡＣＰＩ（Advanced Configuration and Power Interface）と称されるものがある。本規格は、ハードウェア、ＯＳ、周辺機器のそれぞれに対して省電力に関するインターフェイスを決め、ＯＳが電力管理を行う。具体的にはコンピュータ装置本体、周辺機器、ソフトウェアが連携し、相互に供給される電源をＯＮ／ＯＦＦ制御する。また、このようなコンピュータ装置には、省電力のためハードウェア、ＯＳ等がスリープステート状態にサスペンドしている場合おいて、すなわち、メモリに作業内容が保存されている場合において、停電等によりデータ損失やシステム破壊が起きるのを防止するために、バッテリバックアップ回路（例えば、特許文献１：特許公開２００３−１８００４０号公報）が設けられている。
【０００３】
このようなバッテリバックアップ回路により、コンピュータ装置の稼働中に停電に備えて常時作業内容のパックアップが行われている。その一方で、パーソナルコンピュータ（ＰＣ）といった小型のコンピュータ装置においては、バッテリバックアップ回路に相当するものを持たないものが多い。
【０００４】
【特許文献１】２００３−１８００４０号公報
【発明の開示】
【発明が解決しようとする課題】
【０００５】
ところで、上記のようなバッテリバックアップ回路を有するコンピュータ装置においては、スリープステート状態にサスペンドしている（省電力状態）か否かに係わらず常時作業内容のパックアップを行わせるため、大型で大容量のバッテリや複雑な外部回路が必要となり、バッテリバックアップシステムの低コスト化および小型化が難しかった。また、ＰＣのようなバッテリバックアップ回路を持たないような装置においては、省電力状態（メモリに作業内容を保存）において停電等不慮の事故の発生により外部からの電源の供給が遮断された場合、メモリ内の作業内容を保存することができなかった。このため、停電の前の状態に正常に復帰させることができず、メモリで作業中であったファイルが破壊される可能性があった。
【０００６】
以上のような課題に鑑みて、本発明は、停電等による外部からの電源の供給の遮断があっても、低コストでメモリの作業内容をバックアップすることができる電源バックアップシステム及びこれを具えた電子機器を提供することを目的とする。
【課題を解決するための手段】
【０００７】
前記課題を解決するために本発明に係る電源バックアップシステムは、作業内容を記憶するメモリ（例えば、実施形態におけるメモリモジュール１３０）と、メモリに電力が供給されていることを示す電力供給信号および通常モードから節電モードへの移行を指示する節電モード信号を出力する主電源と、節電モード信号を受けて節電モードへの移行の指示がなされたことを示す節電制御信号を出力する節電モード制御手段（例えば、実施形態におけるＡＣＰＩコントローラ１５０）と、節電制御信号を受けて主電源からメモリに供給される電力を通常モード時の高消費電力から節電モード時の低消費電力に切り替える電力切替手段（例えば、実施形態におけるＤＵＡＬ回路１８０）と、メモリに向けて電力を供給可能な補助電源と、主電源からの電力供給信号および節電モード制御手段からの節電制御信号の出力状況を監視して補助電源からの電力供給を制御可能な電源制御手段（例えば、実施形態におけるバッテリ制御部１６０）とを有し、節電モードに移行している状態で主電源から電源制御手段に向けた電力供給信号が遮断された場合に、電源制御手段により補助電源からメモリに電力が供給される制御がなされる。
【０００８】
また、上記構成の電源バックアップシステムにおいて、補助電源からメモリに電力が供給されている状態で主電源から電源制御手段に向けた電力供給信号が復帰した場合に、節電モード制御手段が電力切替手段および電源制御手段への節電制御信号の出力を停止することにより電力切替手段が主電源からメモリに供給される電力を通常モード時の高消費電力に切り替えた上で、電源制御手段が補助電源からメモリに向けた電力の供給を停止させる。
【０００９】
一方、前記課題を解決するために本発明に係る電源バックアップシステムは、作業内容を記憶するメモリ（例えば、実施形態におけるメモリモジュール１３０）と、メモリに電力が供給されていることを示す電力供給信号および通常モードから節電モードへの移行を指示する節電モード信号を出力する主電源と、節電モード信号を受けて節電モードへの移行の指示がなされたことを示す節電制御信号を出力する節電モード制御手段（例えば、実施形態におけるＡＣＰＩコントローラ１５０）と、節電制御信号を受けて主電源からメモリに供給される電力を通常モード時の高消費電力から節電モード時の低消費電力に切り替える電力切替手段（例えば、実施形態におけるＤＵＡＬ回路１８０）と、メモリに向けて電力を供給可能な補助電源と、主電源からの電力供給信号および節電モード制御手段からの節電制御信号の出力状況を監視して補助電源からの電力供給を制御可能な電源制御手段（例えば、実施形態におけるバッテリ制御部１６０）と、節電モード制御手段に向けて割込信号を送信する割込信号送信手段（例えば、実施形態におけるＳＭＩハンドラ１９０）を有し、通常モードの状態で主電源から電源制御手段に向けた電力供給信号が遮断された場合に、電源制御手段が補助電源からメモリに電力が供給されるように制御した後に、電源制御手段から電力供給の遮断の通知を受けた割込信号送信手段が割込信号を節電モード制御手段に送信することにより、節電モード制御手段が節電制御信号を電力切替手段に出力して電力切替手段が通常モードから節電モードに切り替える。
【００１０】
また、上記構成の電源バックアップシステムにおいて、主電源から電源制御手段に向けた電力供給信号が復帰した場合に、電力切替手段により節電モードから通常モードに切り替えられるのが好ましい。
【００１１】
さらに、前記課題を解決するために本発明に係る電子機器は、請求項１から５のいずれかに記載の電源バックアップシステムを具備する。
【００１２】
また、上記構成の電子機器において、当該機器がディスクアレイ装置であるのが好ましい。
【発明の効果】
【００１３】
本発明の電源バックアップシステムによれば、低消費電力の節電モードに移行している状態で停電等でメモリへの電力供給が遮断された場合であっても、補助電源の方からメモリに電力が供給される制御がなされることで、メモリに保持された作業内容を補助電源でバックアップできる。このため、節電モードに移行することでスリープステート状態にシステムがサスペンドしていてもメモリに保持された作業内容が損失されることはなく、バックアップシステムの信頼性を向上させることが可能である。ここで、システムを構成する補助電源は小型小容量で低コストなバッテリでよい。これは、システムが節電モードに移行している状態であるので、補助電源がメモリに保持された作業内容をバックアップするだけの電力を確保すればよいためである。このため、システムを構成するパックアップ回路の他に大容量の電源や複雑な外部回路を構成しなくても、低コストにバックアップシステムを実現することが可能である。
【００１４】
また、主電源からの電力の供給が復帰した場合には、主電源からメモリに供給される電力を通常モード時の高消費電力に切り替えた上で、補助電源からメモリに向けた電力の供給を停止させるように構成されている。このように、補助電源からの電力の供給が停止した時点で通常モードに切り替わっているため、主電源からの電力の供給が復帰した場合に通常モードの状態でメモリの動作を再開できることができる。
【００１５】
さらに、本発明の電源バックアップシステムによれば、通常モードの状態で停電等により電力の供給が遮断された場合には、補助電源からメモリに電力が供給されるようにした後に通常モードから節電モードに切り替えられるため、停電等による電力供給の遮断の時点から節電モードに切り替わるまでのメモリの動作が保証される。このため、システム稼働中の電源事故によるデータ損失やシステム破壊を防止できる。そして、主電源からの電力供給信号が復帰するのとともに自動的に再び通常モードに切り替わるため、電力供給が復帰するのとともにメモリの動作を再開させることが可能である。
【００１６】
また、本発明の電源バックアップシステムは、様々な電子機器に適用することができるが、特に上位装置との入出力データを多く格納し性能と信頼性の双方が求められるディスクアレイ装置に好適に用いることができる。
【発明を実施するための最良の形態】
【００１７】
以下、本発明に係るＡＣＰＩシステムの好ましい実施形態について図１および図２を参照しながら説明する。ＡＣＰＩシステムは、メモリモジュールに作業状態が保存されている省電力状態である、いわゆるスリープステートＳ３に対応している。本システムは、例えばディスクアレイ装置といった電子機器のメモリバックアップ回路に適用可能であるが、ディスクアレイ装置に限らず他のストレージシステムやコンピュータなど、様々な電子機器に適用することができる。
【実施例１】
【００１８】
ここではまず、本発明の第１の実施の形態について説明する。図１に示すように、ＡＣＰＩシステム１００は、主電源１１０、メモリＶＲ回路１２０（安定化電源回路）、メモリモジュール１３０、ＡＣＰＩコントローラ１５０、バッテリ制御部１６０、補助電源１７０、ＤＵＡＬ回路１８０のほか、ショットキーバリアダイオード１６２を有して構成される。メモリＶＲ回路１２０は、電流安定化および整流用のコイルやコンデンサを有している。主電源１１０等は信号ラインを介して電気的に接続され、信号ラインの一部が接地されている。
【００１９】
主電源１１０は、ＡＣＰＩコントローラ１５０からＡＣ−ＯＮの状態（ＡＣＰＩシステム１００に外部から電力が供給されている状態）では、信号ライン１１４を介した５Ｖのスタンバイ信号（節電モード信号）をＡＣＰＩコントローラ１５０やバッテリ制御部１６０に向けて出力する。また、主電源１１０は、ＡＣＰＩコントローラ１５０から信号ライン１５２を介したＤＣ−ＯＮ信号が入力されると、ＤＵＡＬ回路１８０に向けた信号ライン１１１を介した５Ｖの電源信号の出力を開始する。そして、この５Ｖの電源信号の出力が安定した後に、主電源１１０はバッテリ制御部１６０に向けた信号ライン１１３を介した電源確定信号（電力供給信号）を有効にする。この電源確定信号は、主電源１１０からメモリモジュール１３０に電力を供給するために主電源１１０から５Ｖの電源信号が出力されていることを示す。ＡＣＰＩコントローラ１５０からＤＣ−ＯＮ信号が出力されていない状態では、主電源１１０は、この電源確定信号を無効にした後にＤＵＡＬ回路１８０に向けた５Ｖの電源信号の出力を停止する。さらに、主電源１１０は、ＡＣＰＩシステム１００がスリープステートＳ３状態にサスペンドした場合は、バッテリ制御部１６０に向けた電源確定信号を無効にする。
【００２０】
ＤＵＡＬ回路１８０は、ＡＣＰＩコントローラ１５０から出力される信号ライン１５３を介したスリープステート制御信号（以下、「Ｓ３制御信号」と称する）で制御されて、主電源１１０からメモリＶＲ回路１２０に向けて出力される信号を、信号ライン１１１を介した５Ｖの電源信号と信号ライン１１２を介した５Ｖのスタンバイ（サスペンド）信号とに切り替える。具体的には、Ｓ３制御信号が無効である場合には、ＤＵＡＬ回路１８０は主電源１１０から信号ライン１１１を介して供給される５Ｖの電源信号をメモリＶＲ回路１２０に向けて出力する。一方、Ｓ３制御信号が有効、すなわちシステムがサスペンド状態である場合には、ＤＵＡＬ回路１８０は主電源１１０から信号ライン１１２を介して供給される５Ｖのスタンバイ信号をメモリＶＲ回路１２０に対して出力する。
【００２１】
メモリＶＲ回路１２０は電源ライン１４０を介してＤＵＡＬ回路１８０に繋がり、さらに、メモリモジュール１３０は電源ライン１４１を介してメモリＶＲ回路１２０に繋がっている。
【００２２】
ＡＣＰＩコントローラ１５０は、ＡＣＰＩシステム１００のサスペンド状態においては、５ＶのＤＵＡＬ回路１８０とバッテリ制御部１６０とを制御するためのＳ３制御信号を、信号ライン１５３および信号ライン１５１を介して各々に出力する。一方、ＡＣＰＩシステム１００がサスペンド状態から復帰すると、このＳ３制御信号を無効にする。また、信号ライン１５２を介したＤＣ−ＯＮ信号を主電源１１０に向けて供給およびその遮断をすることで、主電源１１０のＤＣ−ＯＮ信号をＯＮ／ＯＦＦ制御する。
【００２３】
バッテリ制御部１６０には、バッテリ制御用の入力信号として、信号ライン１５１を介したＡＣＰＩコントローラ１５０からのＳ３制御信号と、信号ライン１１３を介した主電源１１０からの電源確定信号とが入力される。バッテリ制御部１６０は、補助電源１７０とバッテリ入力ライン１６３を介して接続されている。バッテリ制御部１６０と電源ライン１４１とは、ショットキーバリアダイオード１６２を介してバッテリ出力ライン１６１により接続されている。バッテリ制御部１６０は、電源確定信号の無効とＳ３制御信号の有効とを開始条件として、補助電源１７０からバッテリ入力ライン１６３およびバッテリ出力ライン１６１を介したメモリモジュール１３０への電力の供給を開始する。
【００２４】
ＡＣＰＩコントローラ１５０およびバッテリ制御部１６０は、それらの駆動電源として信号ライン１１４を介した５Ｖのスタンバイ信号が用いられる。また、ＡＣＰＩコントローラ１５０およびバッテリ制御部１６０は、停電等の事態によりＡＣＰＩコントローラ１５０に向けた５Ｖのスタンバイ信号が停止した場合でも、補助電源１７０により各々信号ライン１６４、信号ライン１６３を介してそれらの動作状態がバックアップされる。
【００２５】
次に、以上のように構成されたＡＣＰＩシステム１００の動作について説明する。
【００２６】
スリープステートＳ０の状態、すなわちフル稼働状態（ＣＰＵも稼働）では、主電源１１０は電源確定信号１１３を有効にし、ＡＣＰＩコントローラ１５０はＳ３制御信号を無効にしている。この場合、ＤＵＡＬ回路１８０は５Ｖの電源信号１１１をメモリＶＲ回路１２０に対して出力し、メモリモジュール１３０に向けて電力の供給を行う。
【００２７】
ＡＣＰＩシステム１００は、スリープステートＳ３へのサスペンドが開始されると、その時点での作業内容であるコンテキスト情報をメモリモジュール１３０に待避させる。ＡＣＰＩコントローラ１５０は、コンテキスト情報のメモリモジュール１３０への待避が完了すると、Ｓ３制御信号を有効にしてＤＣ−ＯＮを無効にする。ＤＵＡＬ回路１８０は、Ｓ３制御信号の有効を認識すると、主電源１１０からのメモリＶＲ回路１２０への信号を５Ｖのスタンバイ信号に切り替える。主電源１１０はＤＣ−ＯＮ信号の無効を認識すると、電源確定信号を無効にしてＤＣ−ＯＮ信号をＯＦＦにする。このとき、ＡＣＰＩコントローラ１５０は、それに装備されている内部タイマーによりＤＣ−ＯＮ信号を無効にするのよりも１００μ秒だけ早くＳ３制御信号を有効にできる。このため、主電源１１０からの電力の供給を途絶えさせる時間を与えずに、補助電源１７０からメモリモジュール１３０に向けて電力を供給することが可能である。
【００２８】
バッテリ制御部１６０は、補助電源１７０からの電力の供給が開始されると、これ以降は電源確定信号が有効になるまで補助電源１７０からメモリモジュール１３０に向けた電力の供給を継続させる。この場合、Ｓ３制御信号の状態は補助電源１７０からの出力の継続に影響を及ぼさない。また、停電等によってＡＣがＯＦＦされない限り５Ｖのスタンバイ信号１１２の出力が行われるので、外部からメモリモジュール１３０に向けて電力が供給されるため、補助電源１７０の消費電流は０Ａとなる。
【００２９】
ＡＣＰＩシステム１００が、スリープステートＳ３にサスペンドしている状態で停電等によりＡＣ−ＯＦＦとなった場合、主電源１１０からの５Ｖのスタンバイ信号が出力されなくなる。この場合、メモリＶＲ回路１２０からメモリモジュール１３０への電力供給が停止してしまうが、補助電源１７０からメモリモジュール１３０への電力供給は継続されるので、メモリモジュール１３０内のコンテキスト情報は保持される。
【００３０】
そして、電源復帰後、ＡＣ−ＬＩＮＫ機能もしくはＤＣスイッチ等によりＤＣ−ＯＮが実行された場合、ＡＣＰＩコントローラ１５０はＤＣ−ＯＮ信号を有効にして、またＳ３制御信号１５１を無効にする。主電源１１０はＤＣ−ＯＮ信号の有効を認識すると５Ｖの電源信号の出力を開始して、５Ｖの電源信号の出力が安定した後にバッテリ制御部１６０に向けた電源確定信号を有効にする。ＡＣＰＩシステム１００は、電源確定信号の有効を認識すると、スリープステートＳ０（フル稼働状態）への復帰を開始する。バッテリ制御部１６０は電源確定信号の有効を認識すると、補助電源１７０からバッテリ出力ライン１６１への出力を停止する。この時点でメモリＶＲ回路１２０からメモリモジュール１３０への出力も開始されているので、メモリモジュール１３０内のコンテキスト情報は保持されており、正常にサスペンド以前の状態にＡＣＰＩシステム１００が復帰する。
【実施例２】
【００３１】
次に、本発明に係るシステムの第２の実施の形態について、上記実施例１とは異なる部分を中心に、図２を用いて説明する。
【００３２】
本実施例におけるシステム１００´も、上記の実施例１と同様に、主電源１１０、メモリＶＲ回路１２０、メモリモジュール１３０、ＡＣＰＩコントローラ１５０、バッテリ制御部１６０、補助電源１７０、ＤＵＡＬ回路１８０等を有して構成されているが、その上で、ＳＭＩ（System Management Interrupt）ハンドラ１９０を有して構成されており、いくつかの信号ラインの接続構成が実施例１とは相違する。
【００３３】
図２に示すように、バッテリ制御部１６０は、バッテリ出力ライン１６１´を介してＤＵＡＬ回路１８０とメモリＶＲ回路１２０との間の電源ライン１４０に接続されている。バッテリ出力ライン１６１´上には、ショットキーバリアダイオード１６２が設けられている。また、ＳＭＩハンドラ１９０が、信号ライン１９１を介してＡＣＰＩコントローラ１５０に接続され、信号ライン１９２を介してバッテリ制御部１６０に接続されている。
【００３４】
このようなシステム１００´の構成の下、システム１００´がスリープステートＳ０（フル稼働状態）で稼働中に、停電等により突然ＡＣ−ＯＦＦが発生した場合のシステム１００´の動作について説明する。停電が発生した場合、主電源１１０からの信号ライン１１３を介した電源確定信号の無効をバッテリ制御部１６０が認識した時点で、バッテリ入力ライン１６３を介した補助電源１７０からの信号入力を受けたバッテリ制御部１６０は、バッテリ出力ライン１６１´への信号の出力を開始する。バッテリ出力ライン１６１に出力された信号は、電源ライン１４０を介してメモリＶＲ回路１２０に送られ、さらに電源ライン１４１を通ってメモリモジュール１３０に供給される。このため、停電等により主電源１１０の出力は停止するが、システム１００´はスリープステートＳ０の状態を維持する。
【００３５】
バッテリ制御部１６０は、バッテリ出力ライン１６１への信号の出力を開始すると、信号ライン１９２を介してＳＭＩハンドラ１９０に向けてＳＭＩを通知する。これを受けたＳＭＩハンドラ１９０は、信号ライン１９１を介してＡＣＰＩコントローラ１５０にスリープステートＳ３へのサスペンドを要求する。ＡＣＰＩコントローラ１５０は、スリープステートＳ３へのサスペンドの要求を認識すると、バッテリ制御部１６０に向けたＳ３制御信号を有効にしてコンテキスト情報をメモリモジュール１３０に待避させた後、スリープステートＳ３へのサスペンドを開始させる。スリープステートＳ３へのサスペンドの開始後、システム１００´は電源復帰時に正常にサスペンド以前の状態に復帰させる。
【００３６】
本実施例に係るシステム１００´においては、停電等によるＡＣ−ＯＦＦの時点からシステム１００´をサスペンドするまでの動作を保証できる電源が必要なため、実施例１のシステム１００よりも多少容量の大きい電源を必要とするが、システム稼働中の電源事故によるデータ損失やシステム破壊を防止できる、という効果を有する。
【００３７】
以上に詳細に説明したように、本発明の電源バックアップシステムによれば、低消費電力の節電モードに移行している状態で停電等でメモリへの電力供給が遮断された場合であっても、補助電源の方からメモリに電力が供給される制御がなされることで、メモリに保持された作業内容を補助電源でバックアップできる。このため、節電モードに移行することでスリープステート状態にシステムがサスペンドしていてもメモリに保持された作業内容が損失されることはなく、バックアップシステムの信頼性を向上させることが可能である。ここで、システムを構成する補助電源は小型小容量で低コストなバッテリでよい。これは、システムが節電モードに移行している状態であるので、補助電源がメモリに保持された作業内容をバックアップするだけの電力を確保すればよいためである。このため、システムを構成するパックアップ回路の他に大容量の電源や複雑な外部回路を構成しなくても、低コストにバックアップシステムを実現することが可能である。
【００３８】
また、主電源からの電力の供給が復帰した場合には、主電源からメモリに供給される電力を通常モード時の高消費電力に切り替えた上で、補助電源からメモリに向けた電力の供給を停止させるように構成されている。このように、補助電源からの電力の供給が停止した時点で通常モードに切り替わっているため、主電源からの電力の供給が復帰した場合に通常モードの状態でメモリの動作を再開できることができる。
【００３９】
さらに、本発明の電源バックアップシステムによれば、通常モードの状態で停電等により電力の供給が遮断された場合には、補助電源からメモリに電力が供給されるようにした後に通常モードから節電モードに切り替えられるため、停電等による電力供給の遮断の時点から節電モードに切り替わるまでのメモリの動作が保証される。このため、システム稼働中の電源事故によるデータ損失やシステム破壊を防止できる。そして、主電源からの電力供給信号が復帰するのとともに自動的に再び通常モードに切り替わるため、電力供給が復帰するのとともにメモリの動作を再開させることが可能である。
【００４０】
また、本発明の電源バックアップシステムは、様々な電子機器に適用することができるが、特に上位装置との入出力データを多く格納し性能と信頼性の双方が求められるディスクアレイ装置に好適に用いることができる。
【産業上の利用可能性】
【００４１】
本発明に係る電源バックアップシステム及びこれを具えた電子機器は、携帯電話機、デジタル家電等に適用することができる。
【図面の簡単な説明】
【００４２】
【図１】本発明に係る電源バックアップシステムの概略回路図である。
【図２】本発明に係る電源バックアップシステムの第２実施例における概略回路図である。
【符号の説明】
【００４３】
１００，１００´    ＡＣＰＩシステム（電源バックアップシステム）
１１０    主電源
１２０    メモリＶＲ回路
１３０    メモリモジュール（メモリ）
１５０    ＡＣＰＩコントローラ（節電モード制御手段）
１６０    バッテリ制御部（電源制御手段）
１７０    補助電源
１８０    ＤＵＡＬ回路（電力切替手段）
１９０    ＳＭＩハンドラ（割込信号送信手段）
【図１】
2008129969.tif 000003
【図２】
2008129969.tif 000004